(57)【要約】      （修正有）【課題】低電源電圧で動作し、工程の変化及び温度の変化によるエラーを最小化する電力検出器を提供する。【解決手段】電力検出モジュール２１０ａ、ｂの一端は入力端及びキャリブレーションモジュール２３０ａ、ｂとそれぞれ連結されて、電力検出モジュールの他端はフィルター部２２０ａ、ｂと連結される。電力検出モジュールの一端は、キャリブレーションモジュールの出力と連結されて、キャリブレーションモジュールから出力されるキャリブレーション信号を印加されて増幅する。電力検出モジュールは、第１ステージ３１２、第２ステージ３１４、第３ステージ３１６、電流源３３０、第４のＰ型増幅器３４０及び第３のＰ型増幅器３５０を含む。第１、２、３ステージは、入力信号を印加されて増幅した出力信号を出力する。第１ステージと第２ステージは並列に連結されて、第２ステージの出力が第３ステージに入力される。【選択図】図３
2018139400.tif 000002
【特許請求の範囲】
【請求項１】
入力信号が印加されて増幅した出力信号を出力する第１、２、３ステージを含み、前記第１ステージと前記第２ステージは並列に連結されて、前記第２ステージの出力が前記第３ステージに入力される構造を有する電力検出モジュール；
一端が前記第３ステージの出力に連結されて、前記第３ステージから前記出力信号が入力され、他端が出力端に連結されて、前記出力信号の中、特定の帯域に対する駆動信号を発生するフィルター部；及び
一端が前記フィルター部の出力端に連結されて、前記フィルター部から前記駆動信号が印加され、他端が前記電力検出モジュールの入力端に連結されて、前記駆動信号をキャリブレーションしたキャリブレーション信号を前記電力検出モジュールでフィードバックするキャリブレーションモジュールを含み、
前記電力検出モジュールは、前記キャリブレーションモジュールの出力と連結されて、前記キャリブレーション信号を印加されて増幅した後、前記第１ステージに入力することを特徴とする電力検出器。
【請求項２】
前記フィルター部は、
第２の抵抗、第１のキャパシター、スイッチを含み、前記第２の抵抗と前記第１のキャパシターは直列に連結され、前記スイッチは前記第２の抵抗に並列に連結され、
前記キャリブレーションモジュールが既に設定された条件によって前記駆動信号をキャリブレーションする場合は、前記キャリブレーションモジュールの制御によって前記スイッチをオンにスイッチングして、立ち上がり時間と立ち下がり時間が最短になるように動作するようにすることを特徴とする請求項１に記載の電力検出器。
【請求項３】
前記スイッチは、
複数のＮＭＯＳが直列に連結される第１の回路、複数のＰＭＯＳが直列に連結される第２の回路を含み、前記第１の回路と前記第２の回路が互いに並列に連結されるスタック構造を有することを特徴とする請求項２に記載の電力検出器。
【請求項４】
前記スイッチは、
前記ＮＭＯＳの電流引出端と前記ＰＭＯＳの電流引出端がそれぞれ連結され、前記ＮＭＯＳの電流引込端と前記ＰＭＯＳの電流引込端がそれぞれ連結され、前記ＮＭＯＳの入力端と前記ＰＭＯＳ入力端はそれぞれ電源に連結されることを特徴とする請求項３に記載の電力検出器。
【請求項５】
前記電力検出モジュールは、
第３のＰ型増幅器、第４のＰ型増幅器及び電流源を含み、 前記電流源は前記キャリブレーションモジュールの出力を入力され、前記電流源と前記第４のＰ型増幅器は直列に連結され、第４のＰ型増幅器の出力が第３のＰ型増幅器に入力されることを特徴とする請求項１に記載の電力検出器。
【請求項６】
前記第３のＰ型増幅器は、
第３のＰ型入力端、第３のＰ型電流引込端、第３のＰ型電流引出端を含み、第３のＰ型入力端は前記第４のＰ型増幅器と前記電流源の接点に連結され、前記第３のＰ型電流引込端は電源に連結されて、前記第３のＰ型電流引出端は前記第１ステージに含まれた第１のＮ型増幅器と第２のＮ型増幅器の接点に連結されることを特徴とする請求項５に記載の電力検出器。
【請求項７】
前記第４のＰ型増幅器は、
第４のＰ型入力端、第４のＰ型電流引込端、第４のＰ型電流引出端を含み、前記第４のＰ型入力端は電源に連結され、前記第４のＰ型電流引込端と前記第４のＰ型電流引出端は前記電流源と連結されることを特徴とする請求項５に記載の電力検出器。
【請求項８】
前記キャリブレーションモジュールは、
電力検出器のコード値と参照コード値のサイズに基づいて最終コード値をキャリブレーションすることを特徴とする請求項１に記載の電力検出器。
【請求項９】
前記キャリブレーションモジュールは、
前記電力検出器のコード値と前記参照コード値が同一である場合は、前記最終コード値が既に設定された臨時レジスタ値と等しい値を有するようにキャリブレーションすることを特徴とする請求項８に記載の電力検出器。
【請求項１０】
前記キャリブレーションモジュールは、
前記電力検出器のコード値が前記参照コード値の未満であり、既に設定された臨時レジスタ値が０ではない場合は、既に設定された臨時レジスタ値から１を差し引きし、
前記電力検出器のコード値が前記参照コード値以上である場合は、前記臨時レジスタ値に１を増減した値を前記最終コード値にキャリブレーションする請求項８に記載の電力検出器。
【請求項１１】
前記キャリブレーションモジュールは、
前記電力検出器のコード値が前記参照コード値を超え、既に設定された臨時レジスタ値が既に設定された臨界値と等しい値ではない場合は、既に設定された臨時レジスタ値から１を増減し、
前記電力検出器のコード値が前記参照コード値以下である場合は、臨時レジスタ値から１を差し引きした値を前記最終コード値にキャリブレーションすることを特徴とする請求項８に記載の電力検出器。
【請求項１２】
前記電力検出モジュール、前記フィルター、前記キャリブレーションモジュールは一対に具現され、
一対の中、第１の電力検出モジュール、第１のフィルター、第１のキャリブレーションモジュールを含み、前記第１の電力検出モジュールが入力端に連結されて、リアルタイムで前記入力信号に対する電力レベルを確認する電力レベル確認部；及び
一対の中、第２の電力検出モジュール、第２のフィルター、第２のキャリブレーションモジュールを含み、前記第２の電力検出モジュールがＡＣ接地に連結されて、前記入力信号をＡＣ接地処理して、前記入力信号のない時の状態を確認する信号確認部を含むことを特徴とする請求項１に記載の電力検出器。
【請求項１３】
前記電力レベル確認部は、
前記第１の電力検出モジュールの一端は前記入力端に連結され、前記第１の電力検出モジュールの他端は第１のフィルターに連結され、前記第１のフィルターの一端は前記第１の電力検出モジュールの出力に連結され、前記第１のフィルターの他端は前記第１のキャリブレーションモジュール及び出力端にそれぞれ連結され、前記第１のキャリブレーションモジュールの一端は前記第１のフィルターの出力に連結され、前記第１のキャリブレーションモジュールの他端は前記第１の電力検出モジュールの入力端に連結され、前記入力信号の電力レベルをリアルタイムで確認することを特徴とする請求項１２に記載の電力検出器。
【請求項１４】
前記信号確認部は、
前記第２の電力検出モジュールの一端は前記ＡＣ接地に連結され、前記第２の電力検出モジュールの他端は第２のフィルターに連結され、前記第２のフィルターの一端は前記第２の電力検出モジュールの出力に連結され、前記第２のフィルターの他端は前記第２のキャリブレーションモジュール及び出力端にそれぞれ連結され、前記第２のキャリブレーションモジュールの一端は前記第２のフィルターの出力に連結され、前記第２のキャリブレーションモジュールの他端は前記第２の電力検出モジュールの入力端に連結され、前記入力信号を除去することを特徴とする請求項１２に記載の電力検出器。
【発明の詳細な説明】
【技術分野】
【０００１】
本実施例は、低電圧（Ｌｏｗ  Ｖｏｌｔａｇｅ）の電源電圧（ＶＤＤ）で工程（Ｐｒｏｃｅｓｓ）変化及び温度（Ｔｅｍｐｅｒａｔｕｒｅ）変化によるエラー（Ｅｒｒｏｒ）を最小化するようキャリブレーション（Ｃａｌｉｂｒａｔｉｏｎ）を行う電力検出器に関するものである。
【背景技術】
【０００２】
以下に記述する内容は、単に本実施例に係る背景情報のみを提供するものであり、従来の技術を構成するものではない。
【０００３】
図１に示された従来の電力検出器（ＰＤ：Ｐｏｗｅｒ  Ｄｅｔｅｃｔｏｒ）は、第１のＮ型増幅器（ＭＮ１）と第２のＮ型増幅器（ＭＮ２）で電圧を電流ドメイン（Ｃｕｒｒｅｎｔ  Ｄｏｍａｉｎ）へ変える役割をする。従来の電力検出器（ＰＤ）は、第１のＰ型増幅器（ＭＰ１）で第１のＮ型増幅器（ＭＮ１）と第２のＮ型増幅器（ＭＮ２）の二つの出力電流を合わせた後、整流器（Ｒｅｃｔｉｆｉｅｒ）の役割をすることができる。従来の電力検出器（ＰＤ）は、出力を第２のＰ型増幅器（ＭＰ２）で印加して、第１の抵抗（Ｒ１）を用いて電圧ドメイン（Ｖｏｌｔａｇｅ Ｄｏｍａｉｎ）へ変化させる役割をする。電力検出器（ＰＤ）が電圧ドメインへ変化する際に、まだノード上に望まない高周波成分が存在するためＲＣ低域通過フィルター（Ｌｏｗ Ｐａｓｓ Ｆｉｌｔｅｒ）を用いてＤＣ以外の周波数成分を除去する。ＲＣフィルターを製造する際に、一般的にＣＭＯＳ工程においてキャパシターの面積が大きいため、電力検出器（ＰＤ）では第２の抵抗（Ｒ２）のサイズを大きくしＲＣポール（Ｐｏｌｅ）を減らすことになる。例えば、第１の抵抗（Ｒ１）の値は、５００ＫΩ〜数ＭΩが用いられてもよい。
【０００４】
従来の電力検出器（ＰＤ）と類似する概念としてピーク検出器（Ｐｅａｋ Ｄｅｔｅｃｔｏｒ）、実効値検出器（ＲＭＳ（Ｒｏｏｔ−Ｍｅａｎ Ｓｑｕａｒｅ）Ｄｅｔｅｃｔｏｒ）などが用いられる。電力検出器（ＰＤ）の主な役割は、入力（Ｉｎｐｕｔ）に対する電力（Ｐｏｗｅｒ）又はピーク電圧（Ｐｅａｋ Ｖｏｌｔａｇｅ）を直流出力電圧（ＤＣ Ｏｕｔｐｕｔ Ｖｏｌｔａｇｅ）へ変換する際に、入力（Ｉｎｐｕｔ）と出力（Ｏｕｔｐｕｔ）間のエラー（Ｅｒｒｏｒ）を最小化するものである。電力検出器（ＰＤ）は、工程（Ｐｒｏｃｅｓｓ）の変化及び温度（Ｔｅｍｐｅｒａｔｕｒｅ）の変化により敏感に電力検出器の出力値（ＰＤ_ＯＵＴ）が変動するため、電力検出器（ＰＤ）で電力検出器の出力値（ＰＤ_ＯＵＴ）を制御することが重要な要素である。ピーク検出器の場合は、電力検出器（ＰＤ）のメイン増幅器（Ｍａｉｎ Ａｍｐｌｉｆｉｅｒ）の利得（Ｇａｉｎ）が１になるようフィードバック（Ｆｅｅｄ−Ｂａｃｋ）する。
【０００５】
ピーク検出器は、キャパシター（Ｃａｐａｃｉｔｏｒ）とダイオード（Ｄｉｏｄｅ）を電力検出器（ＰＤ）の出力ノード（Ｏｕｔｐｕｔ Ｎｏｄｅ）に具現して、信号が（＋）ピーク（Ｐｅａｋ）を探すうちにキャパシターに電荷を充電させる。ピーク検出器は、信号が（−）ピークを探すうちにキャパシターにより電荷が放電される速度を減らして、ピーク電圧（Ｐｅａｋ Ｖｏｌｔａｇｅ）の値を探していく構造にフィードバックする。前述したフィードバック構造のためピーク検出器は、工程の変化及び温度の変化に鈍感に作動できるという長所がある。
【０００６】
しかし、数百ＭＨｚ〜数ＧＨｚで用いるには増幅器の性能を引き出しにくいし、低電圧（Ｌｏｗ Ｖｏｌｔａｇｅ）の電源電圧（ＶＤＤ）で入力動的範囲（Ｉｎｐｕｔ Ｄｙｎａｍｉｃ Ｒａｎｇｅ）を広くするに不利な構造である。例えば、１.２Ｖの電源電圧（ＶＤＤ）を用いる場合は、電力検出器の出力値（ＰＤ_ＯＵＴ）で０.６Ｖ〜１Ｖの区間の４００ｍＶの範囲に制限されるためである。
【０００７】
実効値検出器又は電力検出器（ＰＤ）の場合は、入力電圧（Ｉｎｐｕｔ Ｖｏｌｔａｇｅ）をＭＯＳを用いて電流インターフェース（Ｃｕｒｒｅｎｔ Ｉｎｔｅｒｆａｃｅ）へ変換させて、電流インターフェースを整流（Ｒｅｃｔｉｆｉｅｒ）した後、抵抗を用いて再び電圧インターフェース（Ｖｏｌｔａｇｅ Ｉｎｔｅｒｆａｃｅ）の電力検出器の出力値（ＰＤ_ＯＵＴ）を作る構造である。実効値検出器又は電力検出器（ＰＤ）は、入力電圧電流ドメイン（Ｉｎｐｕｔ Ｖｏｌｔａｇｅ Ｃｕｒｒｅｎｔ Ｄｏｍａｉｎ）で処理するため高周波数（Ｈｉｇｈ Ｆｒｅｑｕｅｎｃｙ）で動作することに利点がある。実効値検出器又は電力検出器（ＰＤ）は、前述した１．２Ｖ電源電圧（ＶＤＤ）の増幅器を動作させるための電力増幅器の出力値（ＰＤ_ＯＵＴ）のＭＩＮ電圧レベル（ＭＩＮ Ｖｏｌｔａｇｅ Ｌｅｖｅｌ）を定める０．６Ｖという制約がなくなる。したがって、実効値検出器又は電力検出器（ＰＤ）は、入力動的範囲（Ｉｎｐｕｔ Ｄｙｎａｍｉｃ Ｒａｎｇｅ）を広くするに有利である。しかし、実効値検出器又は電力検出器（ＰＤ）は、入力モス（Ｉｎｐｕｔ Ｍｏｓ）のＧＭ変化（ＧＭ Ｖａｒｉａｔｉｏｎ）に敏感であるため温度の変化を無視しがたいし、整流以後の抵抗により電圧ドメインへ変化してくれる過程において、抵抗の変化はＣＭＯＳ工程（ＣＭＯＳ Ｐｒｏｃｅｓｓ）において±１５％程度変わるためチップの変化（Ｃｈｉｐ  Ｖａｒｉａｔｉｏｎ）の問題が生じる可能性がある。
【発明の概要】
【発明が解決しようとする課題】
【０００８】
本実施例は、低電圧の電源電圧で電力検出器（ＰＤ）の入力動的範囲（Ｉｎｐｕｔ Ｄｙｎａｍｉｃ Ｒａｎｇｅ）を広くすることができる構造において、工程の変化及び温度の変化によるエラーを最小化するキャリブレーションを行う電力検出器を提供することに目的がある。
【課題を解決するための解決】
【０００９】
本実施例の一側面によれば、入力信号を印加されて増幅した出力信号を出力する第１、２、３ステージ（Ｓｔａgｅ）を含み、前記第１ステージと前記第２ステージは並列に連結されて、前記第２ステージの出力が前記第３ステージに入力される構造を有する電力検出モジュール；一端が前記第３ステージの出力に連結されて、前記第３ステージから前記出力信号を入力されるし、他端が出力端に連結されて、前記出力信号の中、特定の帯域に対する駆動信号を発生するフィルター部；及び一端が前記フィルター部の出力端に連結されて、前記フィルター部から前記駆動信号を印加されるし、他端が前記電力検出モジュールの入力端に連結されて、前記駆動信号をキャリブレーション（Ｃａｌｉｂｒａｔｉｏｎ）したキャリブレーション信号を前記電力検出モジュールにフィードバック（Ｆｅｅｄ−Ｂａｃｋ）するキャリブレーションモジュールを含み、前記電力検出モジュールは、前記キャリブレーションモジュールの出力と連結されて、前記キャリブレーション信号を印加されて増幅した後、前記第１ステージに入力することを特徴とする電力検出器を提供する。
【発明の効果】
【００１０】
以上で説明したように、本実施例によれば、電力検出器が低電圧の電源電圧で電力検出器の入力動的範囲を広くすることができる構造において、工程の変化及び温度の変化によるエラーを最小化するキャリブレーションを行うことができる効果がある。
【００１１】
本実施例によれば、低電圧（Ｌｏｗ Ｖｏｌｔａｇｅ）及び高周波数（Ｈｉｇｈ Ｆｒｅｑｕｅｎｃｙ）でも使用可能な電力検出器（ＰＤ）の構造をとり、工程の変化及び温度の変化にも一定の値を維持し、エラーを最小化する電力検出器（ＰＤ）を設計（Ｄｅｓｉｇｎ）できる効果がある。
本実施例によれば、電力検出器の短所である工程の変化及び温度の変化によるエラーをキャリブレーションして低電圧の電源電圧で動的入力範囲を広くしながら環境に対する変化を最小化する効果がある。
【図面の簡単な説明】
【００１２】
【図１】従来の電力検出器（ＰＤ）を示す図である。
【図２】本実施例による電力検出器を概略的に示すブロック図である。
【図３】本実施例によるキャリブレーションを行う電力検出器の回路図を示す図である。
【図４】本実施例によるキャリブレーションを行う電力検出器に含まれたスイッチの回路図を示す図ある。
【図５ａ】本実施例によるデジタルキャリブレーションを行うアルゴリズムを説明するためのフローチャートである。
【図５ｂ】本実施例によるデジタルキャリブレーションを行うアルゴリズムを説明するためのフローチャートである。
【図５ｃ】本実施例によるデジタルキャリブレーションを行うアルゴリズムを説明するためのフローチャートである。
【図６】本実施例による電力検出器のキャリブレーションの前後を比較した結果を示すグラフである。
【発明を実施するための形態】
【００１３】
以下に、本実施例を添付の図面を参照しながら詳細に説明する。
【００１４】
図２は、本実施例による電力検出器を概略的に示したブロック構成図である。
本実施例による電力検出器（ＰＤ）（２００）は、電力検出モジュール（２１０ａ、ｂ）、フィルター部（２２０ａ、ｂ）、キャリブレーションモジュール（２３０ａ、ｂ）がいずれも一対に具現される電力レベル確認部（２０２）及び信号確認部（２０４）を含む。電力検出器（ＰＤ）（２００）に含まれている構成要素は、必ずしもこれに限定されるものではない。
【００１５】
電力レベル確認部（２０２）は、リアルタイムで入力信号に対する電力レベル（Ｐｏｗｅｒ  Ｌｅｖｅｌ）を確認する。電力レベル確認部（２０２）は第１の電力検出モジュール（２１０ａ）、第１のフィルター（２２０ａ）、第１のキャリブレーションモジュール（２３０ａ）を含む。
【００１６】
第１の電力検出モジュール（２１０ａ）の一端は入力端に連結されて、第１の電力検出モジュール（２１０ａ）の他端は第１のフィルター（２２０ａ）に連結される。第１のフィルター（２２０ａ）の一端は第１の電力検出モジュール（２１０ａ）の出力に連結されて、第１のフィルター（２２０ａ）の他端は第１のキャリブレーションモジュール（２３０ａ）及び出力端にそれぞれ連結される。第１のキャリブレーションモジュール（２３０ａ）の一端は第１のフィルター（２２０ａ）の出力に連結されて、第１のキャリブレーションモジュール（２３０ａ）の他端は第１の電力検出モジュールの入力端に連結される。
【００１７】
信号確認部（２０４）は、入力信号をＡＣ接地（Ｇｒｏｕｎｄ）処理して、入力信号のない時の状態を確認する。信号確認部（２０４）は、第２の電力検出モジュール（２１０ｂ）、第２のフィルター（２２０ｂ）、第２のキャリブレーションモジュール（２３０ｂ）を含む。
【００１８】
第２の電力検出モジュール（２１０ｂ）の一端はＡＣ接地（ＡＣ_ＧＮＤ）に連結されて、第２の電力検出モジュール（２１０ｂ）の他端は第２のフィルター（２２０ｂ）に連結される。第２のフィルター（２２０ｂ）の一端は第２の電力検出モジュール（２１０ｂ）の出力に連結されて、第２のフィルターの他端は第２のキャリブレーションモジュール（２３０ｂ）及び出力端にそれぞれ連結される。第２のキャリブレーションモジュール（２３０ｂ）の一端は第２のフィルター（２２０ｂ）の出力に連結されて、第２のキャリブレーションモジュール（２３０ｂ）の他端は第２の電力検出モジュールの入力端に連結される。
【００１９】
図２は、本実施例による電力検出器（ＰＤ）（２００）のブロック構成図であり、一対の電力検出モジュール（２１０ａ、ｂ）の差を利用して温度の変化によるエラーをキャリブレーションする回路を示す。図２に示された電力検出器（ＰＤ）（２００）の構造は、工程の変化及び温度の変化によるエラーをキャリブレーションしてエラーを最小化するよう最適化した構造である。本実施例による電力検出器（ＰＤ）（２００）は、一対の電力検出モジュール（２１０ａ、ｂ）と一対の電力検出モジュール（２３０ａ、ｂ）それぞれの出力にフィルター（２２０ａ、ｂ）を連結して、電力検出器の出力値（ＰＤ_ＯＵＴ）の直流値（ＤＣ値）を除いた高周波を除去するための回路である。フィルター（２２０ａ、ｂ）は低域通過フィルター（Ｌｏｗ Ｐａｓｓ Ｆｉｌｔｅｒ）であり、フィルター（２２０ａ、ｂ）を通過した信号は、互いの信号差を最終出力値に出力して、二つの回路でリアルタイムで変化可能な温度によるエラーを除去（Ｃａｎｃｅｌａｔｉｏｎ）する。電力検出器（ＰＤ）の回路は、リアルタイムで入力（Ｉｎｐｕｔ）に電力レベル（Ｐｏｗｅｒ  Ｌｅｖｅｌ）を確認しようとする電力レベル確認部（２０２）と入力（Ｉｎｐｕｔ）にＡＣ接地（Ｇｒｏｕｎｄ）処理して、信号のない時の状況を知らせる信号確認部（２０４）を含む。
【００２０】
電力レベル確認部（２０２）と信号確認部（２０４）の二つの出力ノード（Ｎｏｄｅ）の差異を利用する場合は、温度の変化によるエラーをキャリブレーションすることができる。しかし、電力レベル確認部（２０２）と信号確認部（２０４）の二つの出力ノードの差異だけでは電力検出器（ＰＤ）の工程の変化によるエラーはキャリブレーションされない。工程の変化によるエラーは、キャリブレーションモジュール（２３０ａ、ｂ）を用いてアルゴリズムで電力検出器（ＰＤ）を用いる前にキャリブレーションする。キャリブレーションする際に、入力（Ｉｎｐｕｔ）される信号（Ｓｉｇｎａｌ）を除去してこそ正確なキャリブレーション（Ｃａｌｉｂｒａｔｉｏｎ）が可能であるためスイッチ（ＳＷ）（３２２）がフィルター（２２０ａ、ｂ）に追加された。
【００２１】
電力レベル確認部（２０２）と信号確認部（２０４）は、二つの電力検出モジュール（２１０ａ、ｂ）の入力がＡＣ接地状態でキャリブレーションを行い、二つの出力値が同一になるようキャリブレーションして、工程の変化によるエラーもキャリブレーションすることができる。
【００２２】
図３は、本実施例によるキャリブレーションを行う電力検出器の回路図を示した図面である。
【００２３】
本実施例による電力検出器（ＰＤ）（２００）は、数ＫＨｚ〜数ＧＨｚまで使用可能な検出器であり、電力検出モジュール（２１０ａ、ｂ）、フィルター部（２２０ａ、ｂ）及びキャリブレーションモジュール（２３０ａ、ｂ）を含む。電力検出器（ＰＤ）（２００）に含まれた構成要素は、必ずしもこれに限定されるものではない。
【００２４】
電力検出モジュール（２１０ａ、ｂ）の一端は入力端及びキャリブレーションモジュール（２３０ａ、ｂ）とそれぞれ連結されて、電力検出モジュール（２１０ａ、ｂ）の他端はフィルター部（２２０ａ、ｂ）と連結される。電力検出モジュール（２１０ａ、ｂ）の一端は（入力端）は、キャリブレーションモジュール（２３０ａ、ｂ）の出力と連結されて、キャリブレーションモジュール（２３０ａ、ｂ）から出力されるキャリブレーション信号を印加されて増幅する。
【００２５】
電力検出モジュール（２１０ａ、ｂ）は、第１ステージ（３１２）、第２ステージ（３１４）、第３ステージ（３１６）、電流源（３３０）、第４のＰ型増幅器（ＭＰ４）（３４０）及び第３のＰ型増幅器（ＭＰ３）（３５０）を含む。
【００２６】
第１、２、３ステージ（３１２、３１４、３１６）は、入力信号を印加されて増幅した出力信号を出力する。第１ステージ（３１２）と第２ステージ（３１４）は並列に連結されて、第２ステージ（３１４）の出力が第３ステージ（３１６）に入力される。
【００２７】
第１ステージ（３１２）は、第１のＮ型増幅器（ＭＮ１）と第２のＮ型増幅器（ＭＮ２）を含む。第１ステージ（３１２）は、第１のＮ型増幅器（ＭＮ１）と第２のＮ型増幅器（ＭＮ２）は並列に連結される。図２では、第１ステージ（３１２）が第１のＮ型増幅器（ＭＮ１）と第２のＮ型増幅器（ＭＮ２）のみを含むものと示しているが、実際の発明の具現において、第１ステージ（３１２）は、複数の増幅器を含む形態に具現することができる。
【００２８】
第２ステージ（３１４）は、第１のＰ型増幅器（ＭＰ１）を含む。第２ステージ（３１４）は、第１のＰ型増幅器（ＭＰ１）の一端が第１のＮ型増幅器（ＭＮ１）と第２のＮ型増幅器（ＭＮ２）の接点に連結されて、他端が電源に連結される。第１のＰ型増幅器（ＭＰ１）は第１のＰ型入力端、第１のＰ型電流引込端、第１のＰ型電流引出端を含む。第１のＰ型入力端は電源と連結される。第１のＰ型電流引込端、第１のＰ型電流引出端は、第１のＮ型増幅器（ＭＮ１）と第２のＮ型増幅器（ＭＮ２）の接点に連結される。第１のＰ型電流引出端は、第１のＰ型電流引込端にフィードバックされる構造を有する。第２ステージ（３１４）も複数の増幅器を含む形態に具現することができる。
【００２９】
第３ステージ（３１６）は、第２のＰ型増幅器（ＭＰ２）と第１の抵抗（Ｒ１）を含む。第３ステージ（３１６）は、第２のＰ型増幅器（ＭＰ２）と第１の抵抗（Ｒ１）は直列に連結されて、第２ステージ（３１４）の出力が第２のＰ型増幅器（ＭＰ２）と第１の抵抗（Ｒ１）の接点に連結される。
【００３０】
電流源（３３０）は、キャリブレーションモジュール（２３０ａ、ｂ）の出力を入力される。電流源（３３０）と第４のＰ型増幅器（ＭＰ４）（３４０）は直列に連結されて、第４のＰ型増幅器（ＭＰ４）（３４０）の出力が第３のＰ型増幅器（ＭＰ３）（３５０）に入力される。
【００３１】
第４のＰ型増幅器（ＭＰ４）（３４０）は、第４のＰ型入力端、第４のＰ型電流引込端、第４のＰ型電流引出端を含む。第４のＰ型入力端は電源に連結されて、第４のＰ型電流引込端と第４のＰ型電流引出端は電流源と連結される。
【００３２】
第３のＰ型増幅器（ＭＰ３）（３５０）は、第３のＰ型入力端、第３のＰ型電流引込端、第３のＰ型電流引出端を含む。第３のＰ型入力端は、第４のＰ型増幅器（ＭＰ４）（３４０）と電流源（３３０）の接点に連結される。第３のＰ型電流引込端は電源に連結されて、第３のＰ型電流引出端は第１ステージに含まれた第１のＮ型増幅器（ＭＮ１）と第２のＮ型増幅器（ＭＮ２）の接点に連結される。
【００３３】
フィルター部（２２０ａ、ｂ）は、一端が電力検出モジュール（２１０ａ、ｂ）に連結されて、他端がキャリブレーションモジュール（２３０ａ、ｂ）及び出力端に連結される。フィルター部（２２０ａ、ｂ）は、電力検出モジュール（２１０ａ、ｂ）から受信された出力信号の中、特定の帯域に対する駆動信号を発生してキャリブレーションモジュール（２３０ａ、ｂ）に伝達する。
フィルター部（２２０ａ、ｂ）の一端が電力検出モジュール（２１０ａ、ｂ）の第３ステージ（３１６）の出力に連結されて、第３ステージ（３１６）から出力信号を入力される。フィルター部（２２０ａ、ｂ）の他端がキャリブレーションモジュール（２３０ａ、ｂ）及び出力端のそれぞれに連結されて駆動信号を伝達する。
【００３４】
フィルター部（２２０ａ、ｂ）は、第２の抵抗（Ｒ２）、第１のキャパシター（Ｃ１）、スイッチ（ＳＷ）を含む。第２の抵抗（Ｒ２）と第１のキャパシター（Ｃ１）は直列に連結されて、スイッチ（ＳＷ）は第２の抵抗（Ｒ２）に並列に連結される。フィルター部（２２０ａ、ｂ）はキャリブレーションモジュール（２３０ａ、ｂ）が既に設定された条件によって駆動信号をキャリブレーションする場合は、キャリブレーションモジュールの制御によりスイッチ（ＳＷ）（３２２）をオンにスイッチングして、立ち上がり時間（Ｒｉｓｉｎｇ  Ｔｉｍｅ）と立ち下がり時間（Ｆａｌｌｉｎｇ  Ｔｉｍｅ）が最大に早く動作するようにする。
【００３５】
キャリブレーションモジュール（２３０ａ、ｂ）はデジタルキャリブレーションブロックであり、既に設定された条件によってフィルター部（２２０ａ、ｂ）から受信された駆動信号をキャリブレーションする。キャリブレーションモジュール（２３０ａ、ｂ）で既に設定された条件を判別する過程は、図５ａ、５ｂ、５ｃを通じて具体的に説明する。キャリブレーションモジュール（２３０ａ、ｂ）は、駆動信号をキャリブレーションする場合にフィルター部（２２０ａ、ｂ）で制御命令を送り、スイッチ（ＳＷ）（３２２）をオンにスイッチングして、立ち上がり時間と立ち下がり時間が最大に早く動作するようにする。キャリブレーションモジュール（２３０ａ、ｂ）の一端はフィルター部（２２０ａ、ｂ）の出力端に連結されて、フィルター部（２２０ａ、ｂ）から駆動信号を印加される。キャリブレーションモジュール（２３０ａ、ｂ）の他端が電力検出モジュール（２１０ａ、ｂ）の入力端に連結されて、駆動信号をキャリブレーションしたキャリブレーション信号を電力検出モジュールにフィードバックする。
【００３６】
キャリブレーションモジュール（２３０ａ、ｂ）は、電力検出器のコード値（ＰＤ_ＣＯＤＥ）と参照コード値（ＲＥＦ_ＣＯＤＥ）のサイズに基づいて最終コード値（ＤＣ_ＣＡＬ）をキャリブレーションする。キャリブレーションモジュール（２３０ａ、ｂ）は、電力検出器のコード値（ＰＤ_ＣＯＤＥ）と参照コード値（ＲＥＦ_ＣＯＤＥ）が同一（ＰＤ_ＣＯＤＥ＝ＲＥＦ_ＣＯＤＥ）である場合は、最終コード値（ＤＣ_ＣＡＬ）が既に設定された臨時レジスタ値（ＤＣ_ＣＡＬ_ＴＥＭＰ）と等しい値を有するようキャリブレーションする。キャリブレーションモジュール（２３０ａ、ｂ）は、電力検出器のコード値（ＰＤ_ＣＯＤＥ）が参照コード値（ＲＥＦ_ＣＯＤＥ）の未満（ＰＤ_ＣＯＤＥ＜ＲＥＦ_ＣＯＤＥ）であり、既に設定された臨時レジスタ値（ＤＣ_ＣＡＬ_ＴＥＭＰ）が０ではない場合は（ＤＣ_ＣＡL_ＴＥＭＰ≠０）、既に設定された臨時レジスタ値（ＤＣ_ＣＡＬ_ＴＥＭＰ）から１を差し引き（ＤＣ_ＣＡＬ_ＴＥＭＰ−１）する。キャリブレーションモジュール（２３０ａ、ｂ）は、電力検出器のコード値（ＰＤ_ＣＯＤＥ）が参照コード値（ＲＥＦ_ＣＯＤＥ）の以上（ＰＤ_ＣＯＤＥ≧ＲＥＦ_ＣＯＤＥ）である場合は、臨時レジスタ値（ＤＣ_ＣＡＬ_ＴＥＭＰ）に１を増減した値（ＤＣ_ＣＡＬ_ＴＥＭＰ＋１）を最終コード値（ＤＣ_ＣＡＬ）にキャリブレーションする。キャリブレーションモジュール（２３０ａ、ｂ）は、電力検出器のコード値（ＰＤ_ＣＯＤＥ）が参照コード値（ＲＥＦ_ＣＯＤＥ）を超え（ＰＤ_ＣＯＤＥ＞ＲＥＦ_ＣＯＤＥ）、既に設定された臨時レジスタ値（ＤＣ_ＣＡＬ_ＴＥＭＰ）が既に設定された臨界値と等しい値ではない場合は、既に設定された臨時レジスタ値（ＤＣ_ＣＡＬ_ＴＥＭＰ）に１を増減（ＤＣ_ＣＡＬ_ＴＥＭＰ＋１）する。キャリブレーションモジュール（２３０ａ、ｂ）は、電力検出器のコード値（ＰＤ_ＣＯＤＥ）が参照コード値（ＲＥＦ_ＣＯＤＥ）の以下（ＰＤ_ＣＯＤＥ≦ＲＥＦ_ＣＯＤＥ）である場合は、臨時レジスタ値（ＤＣ_ＣＡＬ_ＴＥＭＰ）から１を差し引きした値（ＤＣ_ＣＡＬ_ＴＥＭＰ−１）を最終コード値（ＤＣ_ＣＡＬ）にキャリブレーションする。
【００３７】
電力検出器（ＰＤ）（２００）は、入力信号がないと仮定する場合は、第１の抵抗（Ｒ１）におけるＤＣ出力値が工程の変化に対して一定である場合には第１の抵抗（Ｒ１）に対する工程の変化がなくなるため、常に所望のＤＣ出力値が出力されるようデジタルキャリブレーションを行う。第４のＰ型増幅器（ＭＰ４）（３４０）と第３のＰ型増幅器（ＭＰ３）（３５０）は、ＤＣ出力値を制御するために電流源（３３０）の出力を制御することができる。第４のＰ型増幅器（ＭＰ４）（３４０）へ供給される電流源（３３０）の出力値をキャリブレーションモジュール（２３０ａ、ｂ）で制御して、第１の抵抗（Ｒ１）にかかるＤＣ出力値が既に設定された値に出力されるようにする。電流源（３３０）の出力値を制御する理由は、ＡＣ電流のオフセット（Ｏｆｆｓｅｔ）値のみを制御してＡＣ信号の損失を最小化するからである。
【００３８】
図４は、本実施例によるキャリブレーションを行う電力検出器に含まれたスイッチの回路図を示した図面である。
【００３９】
スイッチ（ＳＷ）（３２２）は、複数のＮＭＯＳ（４１０ａ、４１０ｂ、４１０ｃ）が直列に連結される第１の回路、複数のＰＭＯＳ（４２０ａ、４２０ｂ、４２０ｃ）が直列に連結される第２の回路を含む。スイッチ（ＳＷ）（３２２）は、第１の回路と第２の回路が互いに並列に連結されるスタック（Ｓｔａｃｋ）構造を有する。スイッチ（ＳＷ）（３２２）内のＮＭＯＳの電流引出端とＰＭＯＳの電流引出端がそれぞれ連結されて、ＮＭＯＳの電流引込端とＰＭＯＳの電流引込端がそれぞれ連結されて、ＮＭＯＳの入力端とＰＭＯＳ入力端はそれぞれ電源に連結される。
【００４０】
スイッチ（ＳＷ）（３２２）は、ＲＣ低域通過フィルター（フィルター部（２２０ａ、ｂ））の第２の抵抗（Ｒ２）の値をほぼ０近くにしてデジタルキャリブレーションを行うとき、立ち上がり時間（Ｒｉｓｉｎｇ  Ｔｉｍｅ）及び立ち下がり時間（Ｆａｌｌｉｎｇ  Ｔｉｍｅ）を最大に早くするようスイッチングする。 スイッチ（ＳＷ）（３２２）は、キャリブレーションモジュール（２３０ａ、ｂ）でキャリブレーションを行う場合にのみオンで動作する。第２の抵抗（Ｒ２）のサイズを数「ＭΩ」を用いる場合は、スイッチ（ＳＷ）（３２２）のオフ（Ｏｆｆ）抵抗がこれより小さいと、高周波成分を除去するためのポール（Ｐｏｌｅ）の位置が大きくなるため複数のＭＯＳをスタックしてオフ抵抗が用いた第２の抵抗（Ｒ２）値より充分大きい値を有するようにする。
【００４１】
図５ａ、５ｂ、５ｃは、本実施例によるデジタルキャリブレーションを行うアルゴリズムを説明するためのフローチャートである。
【００４２】
図５ａ、５ｂ、５ｃは、デジタルキャリブレーションのフローチャートであり、電力検出器（ＰＤ）（２００）内の第１の抵抗（Ｒ１）の ＤＣ出力値が所望の設定値に出力されるよう電流源（３３０）を制御するアルゴリズムを示す。
【００４３】
まず、図５ａ、５ｂ、５ｃに記載の用語は［表１］のとおりである。
【００４４】
【表１】
2018139400.tif 000003
【００４５】
キャリブレーションモジュール（２３０ａ、ｂ）は、各レジスタ（Ｒｅｇｉｓｔｅｒ）をリセット（Ｒｅｓｅｔ）及び初期化する（Ｓ５１０）。段階Ｓ５１０において、キャリブレーションモジュール（２３０ａ、ｂ）は例えば、臨時レジスタ値（ＤＣ_ＣＡＬ_ＴＥＭＰ）とスタートコード値（ＤＣ_ＣＡＬ_ＲＥＦ）を同一（ＤＣ_ＣＡＬ_ＴＥＭＰ＝ＤＣ_ＣＡＬ_ＲＥＦ）に設定する。「ＤＣ_ＣＡＬ_ＴＥＭＰ＝ＤＣ_ＣＡＬ_ＲＥＦ」に設定することは、臨時レジスタ値（ＤＣ_ＣＡＬ_ＴＥＭＰ）に、正解（演算された値）に該当する部分を近い値に設定して、最大に早いクロック（Ｃｌｏｃｋ）で計算するためである。平均的に多く出る値（平均値）は、設計の際に予め分かる。
【００４６】
キャリブレーションモジュール（２３０ａ、ｂ）は、他アナログブロック（Ａｎａｌｏｇ Ｂｌｏｃｋ）が安定化するまで待機する（Ｓ５１２）。段階Ｓ５１２において、キャリブレーションモジュール（２３０ａ、ｂ）は、他アナログブロックが安定化するまで既に設定された時間（例えば、８０ｕｓ）だけ待機する。
【００４７】
キャリブレーションモジュール（２３０ａ、ｂ）は、電力検出器のコード値（ＰＤ_ＣＯＤＥ）と参照コード値（ＲＥＦ_ＣＯＤＥ）が同一（ＰＤ_ＣＯＤＥ＝ＲＥＦ_ＣＯＤＥ）であるか否かを確認する（Ｓ５１４）。段階Ｓ５１４において、「ＰＤ_ＣＯＤＥ＝ＲＥＦ_ＣＯＤＥ」は、キャリブレーションを最初スタートする際に、直ちに所望の値を探した場合の計算アルゴリズムループ（Ｌｏｏｐ）のための条件文である。
【００４８】
段階Ｓ５１４を確認した結果、電力検出器のコード値（ＰＤ_ＣＯＤＥ）と参照コード値（ＲＥＦ_ＣＯＤＥ）が同一（ＰＤ_ＣＯＤＥ＝ＲＥＦ_ＣＯＤＥ）である場合は、キャリブレーションモジュール（２３０ａ、ｂ）は、所望の最終コード値（ＤＣ_ＣＡＬ）を探したことと見なして、臨時レジスタ値（ＤＣ_ＣＡＬ_ＴＥＭＰ）を最終コード値（ＤＣ_ＣＡＬ）としてレジスタに最終保存して、キャリブレーションを終了する（Ｓ５１６）。段階Ｓ５１４を確認した結果、電力検出器のコード値（ＰＤ_ＣＯＤＥ）と参照コード値（ＲＥＦ_ＣＯＤＥ）が同一ではない（ＰＤ_ＣＯＤＥ≠ＲＥＦ_ＣＯＤＥ）場合は、キャリブレーションモジュール（２３０ａ、ｂ）は段階Ｓ５２０を行う。
【００４９】
段階Ｓ５１４を確認した結果、電力検出器のコード値（ＰＤ_ＣＯＤＥ）と参照コード値（ＲＥＦ_ＣＯＤＥ）が同一ではない（ＰＤ_ＣＯＤＥ≠ＲＥＦ_ＣＯＤＥ）場合は、キャリブレーションモジュール（２３０ａ、ｂ）は、参照コード値（ＲＥＦ_ＣＯＤＥ）が電力検出器のコード値（ＰＤ_ＣＯＤＥ）を超えるか（ＰＤ_ＣＯＤＥ＜ＲＥＦ_ＣＯＤＥ）否かを確認する（Ｓ５２０）。段階Ｓ５２０は、キャリブレーションモジュール（２３０ａ、ｂ）でキャリブレーションを最初スタートする際に、所望の値より小さい場合の計算アルゴリズムループのための条件文である。段階Ｓ５２０において、キャリブレーションモジュール（２３０ａ、ｂ）は、電力検出器のコード値（ＰＤ_ＣＯＤＥ）が参照コード値（ＲＥＦ_ＣＯＤＥ）より大きい場合には段階Ｓ５３０を行う。
【００５０】
段階Ｓ５２０を確認した結果、参照コード値（ＲＥＦ_ＣＯＤＥ）が電力検出器のコード値（ＰＤ_ＣＯＤＥ）を超える（ＰＤ_ＣＯＤＥ＜ＲＥＦ_ＣＯＤＥ）場合は、キャリブレーションモジュール（２３０ａ、ｂ）は、臨時レジスタ値（ＤＣ_ＣＡＬ_ＴＥＭＰ）が０であるか否か（ＤＣ_ＣＡＬ_ＴＥＭＰ＝０）を確認する（Ｓ５２１）。
【００５１】
段階Ｓ５２１において、臨時レジスタ値（ＤＣ_ＣＡＬ_ＴＥＭＰ）が０である場合は（ＤＣ_ＣＡＬ_ＴＥＭＰ＝０）、キャリブレーションモジュール（２３０ａ、ｂ）は、臨時レジスタ値（ＤＣ_ＣＡＬ_ＴＥＭＰ）と最終コード値（ＤＣ_ＣＡＬ）を０で同一に設定した後、キャリブレーションを終了する（Ｓ５２６）。段階Ｓ５２６において、キャリブレーションモジュール（２３０ａ、ｂ）は、臨時レジスタ値（ＤＣ_ＣＡＬ_ＴＥＭＰ）が０になっても、最終コード値（ＤＣ_ＣＡＬ）を探せなかったら、最終コード値（ＤＣ_ＣＡＬ）を０に保存して、キャリブレーションを終了する。
【００５２】
段階Ｓ５２１を確認した結果、臨時レジスタ値（ＤＣ_ＣＡＬ_ＴＥＭＰ）が０ではない（ ＤＣ_ＣＡＬ_ＴＥＭＰ≠０）場合は、キャリブレーションモジュール（２３０ａ、ｂ）は、臨時レジスタ値から１を差し引きした値（ＤＣ_ＣＡＬ_ＴＥＭＰ−１）を臨時レジスタ値（ＤＣ_ＣＡＬ_ＴＥＭＰ）に設定する（Ｓ５２２）。キャリブレーションモジュール（２３０ａ、ｂ）は、回路上の他アナログブロックが安定化するまで待機する（Ｓ５２３）。段階Ｓ５２３において、キャリブレーションモジュール（２３０ａ、ｂ）は、回路上の他アナログブロックが安定化するまで既に設定された時間（例えば、３０ｕｓ）を待機する。
【００５３】
キャリブレーションモジュール（２３０ａ、ｂ）は、電力検出器のコード値（ＰＤ_ＣＯＤＥ）が参照コード値（ＲＥＦ_ＣＯＤＥ）値より大きいか又は等しいか（ＰＤ_ＣＯＤＥ≧ＲＥＦ_ＣＯＤＥ）を確認する（Ｓ５２４）。
【００５４】
段階Ｓ５２４を確認した結果、電力検出器のコード値（ＰＤ_ＣＯＤＥ）が参照コード値（ＲＥＦ_ＣＯＤＥ）より大きいか又は等しい場合は（ＰＤ_ＣＯＤＥ≧ＲＥＦ_ＣＯＤＥ）、キャリブレーションモジュール（２３０ａ、ｂ）は、臨時レジスタ値から１を加算した値（ＤＣ_ＣＡＬ_ＴＥＭＰ＋１）を臨時レジスタ値（ＤＣ_ＣＡＬ_ＴＥＭＰ）に設定した後、キャリブレーションを終了する（Ｓ５２５）。段階Ｓ５２５において、キャリブレーションモジュール（２３０ａ、ｂ）は、電力検出器のコード値（ＰＤ_ＣＯＤＥ）が参照コード値（ＲＥＦ_ＣＯＤＥ）より大きいか又は等しい場合は（ＰＤ_ＣＯＤＥ≧ＲＥＦ_ＣＯＤＥ）、所望の最終コード値（ＤＣ_ＣＡＬ）を探したことと見なして、臨時レジスタ値（ＤＣ_ＣＡＬ_ＴＥＭＰ）を最終コード値（ＤＣ_ＣＡＬ）に最終保存して、キャリブレーションを終了する。段階Ｓ５２５において、キャリブレーションモジュール（２３０ａ、ｂ）は、電力検出器のコード値（ＰＤ_ＣＯＤＥ）が参照コード値（ＲＥＦ_ＣＯＤＥ）の未満である場合は（ＰＤ_ＣＯＤＥ＜ＲＥＦ_ＣＯＤＥ）、段階Ｓ５２０へ戻り、コードを１ずつ減すと最終コード値（ＤＣ_ＣＡＬ）を探す段階Ｓ５２０ないしＳ５２２を繰り返し行う。
【００５５】
一方、段階Ｓ５２０を確認した結果、参照コード値（ＲＥＦ_ＣＯＤＥ）が電力検出器のコード値（ＰＤ_ＣＯＤＥ）の以下（ＰＤ_ＣＯＤＥ≧ＲＥＦ_ＣＯＤＥ）である場合は、キャリブレーションモジュール（２３０ａ、ｂ）は、電力検出器のコード値（ＰＤ_ＣＯＤＥ）が参照コード値（ＲＥＦ_ＣＯＤＥ）を超えるか否かを確認する（Ｓ５３０）。段階Ｓ５３０は、キャリブレーションモジュール（２３０ａ、ｂ）でキャリブレーションを最初スターとする際に、所望の値より大きい場合の計算アルゴリズムループのための条件文である。
【００５６】
段階Ｓ５３０を確認した結果、参照コード値（ＲＥＦ_ＣＯＤＥ）が電力検出器のコード値（ＰＤ_ＣＯＤＥ）を超える（ＰＤ_ＣＯＤＥ＜ＲＥＦ_ＣＯＤＥ）場合は、キャリブレーションモジュール（２３０ａ、ｂ）は、臨時レジスタ値（ＤＣ_ＣＡＬ_ＴＥＭＰ）が１５であるか否か（ＤＣ_ＣＡＬ_ＴＥＭＰ＝１５）を確認する（Ｓ５３１）。段階Ｓ５３１において、臨時レジスタ値（ＤＣ_ＣＡＬ_ＴＥＭＰ）が１５である場合は、キャリブレーションモジュール（２３０ａ、ｂ）は、臨時レジスタ値（ＤＣ_ＣＡＬ_ＴＥＭＰ）と最終コード値（ＤＣ_ＣＡＬ）を１５に設定して、キャリブレーションを終了する（Ｓ５３６）。段階Ｓ５３６において、キャリブレーションモジュール（２３０ａ、ｂ）は、臨時レジスタ値（ＤＣ_ＣＡＬ_ＴＥＭＰ）が１５になっても、最終コード値（ＤＣ_ＣＡＬ）を探せなかったら、最終コード値（ＤＣ_ＣＡＬ）＝１５の値に計算値を保存して、キャリブレーションを終了する。段階Ｓ５３１及び段階Ｓ５３６において、キャリブレーションモジュール（２３０ａ、ｂ）は例えば、「４Ｂｉｔ」を用いて１５の値に設定する。
【００５７】
段階Ｓ５３１を確認した結果、臨時レジスタ値（ＤＣ_ＣＡＬ_ＴＥＭＰ）が１５（ＤＣ_ＣＡＬ_ＴＥＭＰ≠０）ではない場合は、キャリブレーションモジュール（２３０ａ、ｂ）は、臨時レジスタ値から１を増減した値（ＤＣ_ＣＡＬ_ＴＥＭＰ＋１）を臨時レジスタ値（ＤＣ_ＣＡＬ_ＴＥＭＰ）に設定する（Ｓ５３２）。
【００５８】
キャリブレーションモジュール（２３０ａ、ｂ）は、回路上の他アナログブロックが安定化するまで待機する（Ｓ５３３）。段階Ｓ５３３において、キャリブレーションモジュール（２３０ａ、ｂ）は、回路上の他アナログブロックが安定化するまで既に設定された時間（例えば、３０ｕｓ）を待つ。
【００５９】
キャリブレーションモジュール（２３０ａ、ｂ）は、電力検出器のコード値（ＰＤ_ＣＯＤＥ）が参照コード値（ＲＥＦ_ＣＯＤＥ）値より小さいか又は等しいか（ＰＤ_ＣＯＤＥ≦ＲＥＦ_ＣＯＤＥ）を確認する（Ｓ５３４）。段階Ｓ５３４を確認した結果、電力検出器のコード値（ＰＤ_ＣＯＤＥ）が参照コード値（ＲＥＦ_ＣＯＤＥ）より小さいか又は等しい場合は、キャリブレーションモジュール（２３０ａ、ｂ）は、臨時レジスタ値から１を加算した値（ＤＣ_ＣＡＬ_ＴＥＭＰ＋１）を臨時レジスタ値（ＤＣ_ＣＡＬ_ＴＥＭＰ）と同一に設定した後、キャリブレーションを終了する（Ｓ５３５）。段階Ｓ５３５において、キャリブレーションモジュール（２３０ａ、ｂ）は、電力検出器のコード値（ＰＤ_ＣＯＤＥ）が参照コード値（ＲＥＦ_ＣＯＤＥ）より小さいか又は等しい場合は（ＰＤ_ＣＯＤＥ≦ＲＥＦ_ＣＯＤＥ）、所望の最終コード値（ＤＣ_ＣＡＬ）を探したことと見なして、臨時レジスタ値（ＤＣ_ＣＡＬ_ＴＥＭＰ）を最終コード値（ＤＣ_ＣＡＬ）に最終保存して、キャリブレーションを終了する。段階Ｓ５３４において、キャリブレーションモジュール（２３０ａ、ｂ）は、電力検出器のコード値（ＰＤ_ＣＯＤＥ）が参照コード値（ＲＥＦ_ＣＯＤＥ）を超える場合は（ＰＤ_ＣＯＤＥ＞ＲＥＦ_ＣＯＤＥ）、段階Ｓ５３０へ戻り、コードを１ずつ増加しながら最終コード値（ＤＣ_ＣＡＬ）を探す段階Ｓ５３０ないしＳ５３２を繰り返して行う。
【００６０】
図５ａ、５ｂ、５ｃでは、段階Ｓ５１０ないし段階Ｓ５３５を順次に行うと記載しているが、必ずしもこれに限定されるものではない。言い換えれば、 図５に記載の段階を変更して行うか、一つ以上の段階を並列に行うことで適用することができるので、図５は時系列順に限定されるものではない。
【００６１】
前述したように、図５に記載の本実施例によるデジタルキャリブレーションを行うアルゴリズムは、プログラムに具現されてコンピューターで読み取る記録媒体に記録されてもよい。本実施例によるデジタルキャリブレーションを行うアルゴリズムを具現するためのプログラムが記録されて、コンピューターが読める記録媒体はコンピューターシステムにより読まれるデータが貯蔵される全種類の記録装置を含む。
【００６２】
図６は、本実施例による電力検出器のキャリブレーションの前後を比較した結果を示すグラフである。
【００６３】
図６は、温度の変化と工程の変化によるキャリブレーション前の電力検出器の出力値（ＰＤ_ＯＵＴ）とキャリブレーション後の電力検出器の出力値（ＰＤ_ＯＵＴ_ＣＡＬ）を示したグラフである。
【００６４】
図６の左側に示された（ａ）、（ｃ）グラフは、それぞれキャリブレーション前のデータ値（ＰＤ_ＯＵＴ）である。図６の右側に示された（ｂ）、（ｄ）グラフは、それぞれキャリブレーション後のデータ値（ＰＤ_ＯＵＴ_ＣＡＬ）である。図６の（ａ）と（ｃ）を比較（ＰＤ_ＯＵＴ ｖｓ ＰＤ_ＯＵＴ_ＣＡＬ）して、図６の（ｂ）と（ｄ）を比較（ＰＤ_ＯＵＴ ｖｓ ＰＤ_ＯＵＴ_ＣＡＬ）する場合は、キャリブレーション以後の変化がほとんどなくなったことが確認できる。
【００６５】
以上の説明は、本実施例の技術思想を例示的に説明したことに過ぎないものであり、本実施例の属する技術分野における通常の知識を有する者であれば、本実施例の本質的な特性から脱しない範囲で多様な修正及び変形が可能である。したがって、本実施例等は、本実施例の技術思想を限定するためのものではなく、説明するためのものであり、このような実施例により本実施例の技術思想の範囲が限定されるものではない。本実施例の保護範囲は、下記の請求範囲により解釈すべきであり、それと同等な範囲内にある全ての技術思想は、本実施例の権利範囲に含まれるものと解釈しなければならない。
【符号の説明】
【００６６】
２００：電力検出器（ＰＤ）
２１０ａ、ｂ：電力検出モジュール
２２０ａ、ｂ：フィルター部
２３０ａ、ｂ：キャリブレーションモジュール
３１２：第１ステージ  
３１４： 第２ステージ
３１６：第３ステージ  
３２２：スイッチ（ＳＷ）
３３０：電流源
３４０：第４のＰ型増幅器（ＭＰ４） 
３５０：第３のＰ型増幅器（ＭＰ３）
４１０ａ、ｂ、ｃ：ＮＭＯＳ  
４２０ａ、ｂ、ｃ：ＰＭＯＳ
【図１】
2018139400.tif 000004
【図２】
2018139400.tif 000005
【図３】
2018139400.tif 000006
【図４】
2018139400.tif 000007
【図５ａ】
2018139400.tif 000008
【図５ｂ】
2018139400.tif 000009
【図５ｃ】
2018139400.tif 000010
【図６】
2018139400.tif 000011
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
入力信号が印加されて増幅した出力信号を出力する第１、２、３ステージを含み、前記第１ステージと前記第２ステージは１つの端子がお互いに接続され、前記第２ステージの出力が前記第３ステージに入力される構造を有する電力検出モジュール；
一端が前記第３ステージの出力に連結されて、前記第３ステージから前記出力信号が入力され、他端が出力端に連結されて、前記出力信号の中、特定の帯域に対する駆動信号を発生するフィルター部；及び
一端が前記フィルター部の出力端に連結されて、前記フィルター部から前記駆動信号が印加され、他端が前記電力検出モジュールの入力端に連結されて、前記駆動信号をキャリブレーションしたキャリブレーション信号を前記電力検出モジュールでフィードバックするキャリブレーションモジュールを含み、
前記電力検出モジュールは、前記キャリブレーションモジュールの出力と連結されて、前記キャリブレーション信号を印加されて増幅した後、前記第１ステージに入力することを特徴とする電力検出器。
【請求項２】
前記フィルター部は、
第２の抵抗、第１のキャパシター、スイッチを含み、前記第２の抵抗と前記第１のキャパシターは直列に連結され、前記スイッチは前記第２の抵抗に並列に連結され、
前記キャリブレーションモジュールが既に設定された条件によって前記駆動信号をキャリブレーションする場合は、前記キャリブレーションモジュールの制御によって前記スイッチをオンにスイッチングして、立ち上がり時間と立ち下がり時間が最短になるように動作するようにすることを特徴とする請求項１に記載の電力検出器。
【請求項３】
前記スイッチは、
複数のＮＭＯＳが直列に連結される第１の回路、複数のＰＭＯＳが直列に連結される第２の回路を含み、前記第１の回路と前記第２の回路が互いに並列に連結されるスタック構造を有することを特徴とする請求項２に記載の電力検出器。
【請求項４】
前記スイッチは、
前記ＮＭＯＳの電流引出端と前記ＰＭＯＳの電流引出端がそれぞれ連結され、前記ＮＭＯＳの電流引込端と前記ＰＭＯＳの電流引込端がそれぞれ連結され、前記ＮＭＯＳの入力端と前記ＰＭＯＳの入力端はそれぞれ電源に連結されることを特徴とする請求項３に記載の電力検出器。
【請求項５】
前記電力検出モジュールは、
第３のＰ型増幅器、第４のＰ型増幅器及び電流源を含み、 前記電流源は前記キャリブレーションモジュールの出力を入力され、前記電流源と前記第４のＰ型増幅器は直列に連結され、第４のＰ型増幅器の出力が第３のＰ型増幅器に入力されることを特徴とする請求項１に記載の電力検出器。
【請求項６】
前記第３のＰ型増幅器は、
第３のＰ型入力端、第３のＰ型電流引込端、第３のＰ型電流引出端を含み、第３のＰ型入力端は前記第４のＰ型増幅器と前記電流源の接点に連結され、前記第３のＰ型電流引込端は電源に連結されて、前記第３のＰ型電流引出端は前記第１ステージに含まれた第１のＮ型増幅器と第２のＮ型増幅器の接点に連結されることを特徴とする請求項５に記載の電力検出器。
【請求項７】
前記第４のＰ型増幅器は、
第４のＰ型入力端、第４のＰ型電流引込端、第４のＰ型電流引出端を含み、前記第４のＰ型入力端は電源に連結され、前記第４のＰ型電流引込端と前記第４のＰ型電流引出端は前記電流源と連結されることを特徴とする請求項５に記載の電力検出器。
【請求項８】
前記キャリブレーションモジュールは、
電力検出器のコード値と参照コード値のサイズに基づいて最終コード値をキャリブレーションすることを特徴とする請求項１に記載の電力検出器。
【請求項９】
前記キャリブレーションモジュールは、
前記電力検出器のコード値と前記参照コード値が同一である場合は、前記最終コード値が既に設定された臨時レジスタ値と等しい値を有するようにキャリブレーションすることを特徴とする請求項８に記載の電力検出器。
【請求項１０】
前記キャリブレーションモジュールは、
前記電力検出器のコード値が前記参照コード値の未満であり、既に設定された臨時レジスタ値が０ではない場合は、既に設定された臨時レジスタ値から１を差し引きし、
前記電力検出器のコード値が前記参照コード値以上である場合は、前記臨時レジスタ値に１を増減した値を前記最終コード値にキャリブレーションする請求項８に記載の電力検出器。
【請求項１１】
前記キャリブレーションモジュールは、
前記電力検出器のコード値が前記参照コード値を超え、既に設定された臨時レジスタ値が既に設定された臨界値と等しい値ではない場合は、既に設定された臨時レジスタ値から１を増減し、
前記電力検出器のコード値が前記参照コード値以下である場合は、臨時レジスタ値から１を差し引きした値を前記最終コード値にキャリブレーションすることを特徴とする請求項８に記載の電力検出器。
【請求項１２】
前記電力検出モジュール、前記フィルター部、前記キャリブレーションモジュールは一対に具現され、
一対の中、第１の電力検出モジュール、第１のフィルター、第１のキャリブレーションモジュールを含み、前記第１の電力検出モジュールが入力端に連結されて、リアルタイムで前記入力信号に対する電力レベルを確認する電力レベル確認部；及び
一対の中、第２の電力検出モジュール、第２のフィルター、第２のキャリブレーションモジュールを含み、前記第２の電力検出モジュールがＡＣ接地に連結されて、前記入力信号をＡＣ接地処理して、前記入力信号のない時の状態を確認する信号確認部を含むことを特徴とする請求項１に記載の電力検出器。
【請求項１３】
前記電力レベル確認部は、
前記第１の電力検出モジュールの一端は前記入力端に連結され、前記第１の電力検出モジュールの他端は第１のフィルターに連結され、前記第１のフィルターの一端は前記第１の電力検出モジュールの出力に連結され、前記第１のフィルターの他端は前記第１のキャリブレーションモジュール及び出力端にそれぞれ連結され、前記第１のキャリブレーションモジュールの一端は前記第１のフィルターの出力に連結され、前記第１のキャリブレーションモジュールの他端は前記第１の電力検出モジュールの入力端に連結され、前記入力信号の電力レベルをリアルタイムで確認することを特徴とする請求項１２に記載の電力検出器。
【請求項１４】
前記信号確認部は、
前記第２の電力検出モジュールの一端は前記ＡＣ接地に連結され、前記第２の電力検出モジュールの他端は第２のフィルターに連結され、前記第２のフィルターの一端は前記第２の電力検出モジュールの出力に連結され、前記第２のフィルターの他端は前記第２のキャリブレーションモジュール及び出力端にそれぞれ連結され、前記第２のキャリブレーションモジュールの一端は前記第２のフィルターの出力に連結され、前記第２のキャリブレーションモジュールの他端は前記第２の電力検出モジュールの入力端に連結され、前記入力信号を除去することを特徴とする請求項１２に記載の電力検出器。
【手続補正２】
【補正対象書類名】明細書
【補正対象項目名】００２６
【補正方法】変更
【補正の内容】
【００２６】
第１、２、３ステージ（３１２、３１４、３１６）は、入力信号を印加されて増幅した出
力信号を出力する。前記第１ステージ（３１２）と前記第２ステージ（３１４）は１つの端子がお互いに接続され、第２ステージ（３１４）の出力が第３ステージ（３１６）に入力される。